(57)【要約】      （修正有）【課題】Ｑ値を抑えることのできるインダクタンス素子を提供する。【解決手段】インダクタンス素子は、環状のコア１を覆う第１のカバー２及び第２のカバー３と、コア１、第１のカバー２及び第２のカバー２の一領域に巻き回された第１の巻線及び第２の巻線とを備える。第１のカバー２は、コア１の内周面１ａの一部位と、外周面１ｂの一部位と、軸方向の一端側端面１ｃとを覆う。第２のカバー３は、コア１の内周面１ａの一部位と、外周面１ｂの一部位と、軸方向の他端側端面１ｄとを覆う。第１のカバー２及び第２のカバー３の内側端面同士２ｄ、３ｄは離間しており、第１のカバー２及び第２のカバー３の外側端面同士２ｅ、３ｅは離間している。【選択図】図５
2019012760.tif 000002
【特許請求の範囲】
【請求項１】
環状のコアと、
前記コアを覆う第１のカバー及び第２のカバーと、
前記コア、前記第１のカバー及び前記第２のカバーの一領域に巻き回された第１の巻線及び第２の巻線と、を備え、
前記環状のコアにより周回される軸の延びる方向を軸方向とした場合、
前記コアは、内周面と、外周面と、前記軸方向の一端側端面と、前記軸方向の他端側端面と、を備え、
前記第１のカバーは、前記コアの前記内周面の一部位と、前記外周面の一部位と、前記一端側端面とを覆うとともに、前記コアの前記内周面において延びる内側端面と、前記コアの前記外周面において延びる外側端面とを含み、
前記第２のカバーは、前記コアの前記内周面の一部位と、前記外周面の一部位と、前記他端側端面とを覆うとともに、前記コアの前記内周面において延びる内側端面と、前記コアの前記外周面において延びる外側端面とを含み、
前記第１のカバー及び前記第２のカバーの前記内側端面同士は離間しており、
前記第１のカバー及び前記第２のカバーの前記外側端面同士は離間している、
インダクタンス素子。
【請求項２】
前記第１のカバー及び前記第２のカバーの前記内側端面同士は、全面に亘って、所定の間隔を空けて離間しており、
前記第１のカバー及び前記第２のカバーの前記外側端面同士は、全面に亘って、所定の間隔を空けて離間している、
ことを特徴とする請求項１に記載のインダクタンス素子。
【請求項３】
前記第１のカバー及び前記第２のカバーの前記内側端面同士の間隔は、前記第１のカバー及び前記第２のカバーの前記外側端面同士の間隔と比較して大きい、
ことを特徴とする請求項２に記載のインダクタンス素子。
【請求項４】
前記第１の巻線と、前記第２の巻線との間には、所定の間隔がある、
ことを特徴とする請求項１〜３のいずれか１項に記載のインダクタンス素子。
【請求項５】
ケースをさらに備え、
前記ケースは、前記コア、前記第１のカバー及び前記第２のカバーの一部を露出する開口部を有する、
ことを特徴とする請求項１〜４のいずれか１項に記載のインダクタンス素子。
【請求項６】
ヒートシンクをさらに備え、
前記ヒートシンクは、前記第１の巻線と前記第２の巻線との間に設けられた、
ことを特徴とする請求項１〜５のいずれか１項に記載のインダクタンス素子。
【請求項７】
インダクタンス素子を備えるＬＣフィルタであって、
前記インダクタンス素子は、
環状のコアと、
前記コアを覆う第１のカバー及び第２のカバーと、
前記コア、前記第１のカバー及び前記第２のカバーの一領域に巻き回された第１の巻線及び第２の巻線と、を備え、
前記環状のコアにより周回される軸の延びる方向を軸方向とした場合、
前記コアは、内周面と、外周面と、前記軸方向の一端側端面と、前記軸方向の他端側端面と、を備え、
前記第１のカバーは、前記コアの前記内周面の一部位と、前記外周面の一部位と、前記一端側端面とを覆うとともに、前記コアの前記内周面において延びる内側端面と、前記コアの前記外周面において延びる外側端面とを含み、
前記第２のカバーは、前記コアの前記内周面の一部位と、前記外周面の一部位と、前記他端側端面とを覆うとともに、前記コアの前記内周面において延びる内側端面と、前記コアの前記外周面において延びる外側端面とを含み、
前記第１のカバー及び前記第２のカバーの前記内側端面同士は離間しており、
前記第１のカバー及び前記第２のカバーの前記外側端面同士は離間している、
ＬＣフィルタ。
【発明の詳細な説明】
【技術分野】
【０００１】
本発明は、インダクタンス素子及びＬＣフィルタに関する。
【背景技術】
【０００２】
コアと、コアの表面を覆う導体と、導体を覆う誘電体と、誘電体に被覆導線を直接巻回してなるコイルとを備えるインダクタンス素子がある。特許文献１には、このようなインダクタンス素子の一例が開示されている。
【先行技術文献】
【特許文献】
【０００３】
【特許文献１】特開２００８−０９８３０７号公報
【発明の概要】
【発明が解決しようとする課題】
【０００４】
ところで、Ｑ値を意図して低い値に調整することが要求されている。Ｑ値が低い場合、例えば、共振点に近い周波数のノーマルモードノイズが減じ易くなり、好ましい。
【０００５】
本発明に係るインダクタンス素子は、Ｑ値を抑えるものとする。
【課題を解決するための手段】
【０００６】
本発明に係るインダクタンス素子は、
環状のコアと、
前記コアを覆う第１のカバー及び第２のカバー（例えば、カバー２、３）と、
前記コア、前記第１のカバー及び前記第２のカバーの一領域に巻き回された第１の巻線及び第２の巻線（例えば、巻線４、５）と、を備え、
前記環状のコアにより周回される軸の延びる方向を軸方向とした場合、
前記コアは、内周面と、外周面と、前記軸方向の一端側端面（例えば、１ｃ、１ｄの一方）と、前記軸方向の他端側端面（例えば、１ｃ、１ｄの他方）と、を備え、
前記第１のカバーは、前記コアの前記内周面の一部位と、前記外周面の一部位と、前記一端側端面とを覆うとともに、前記コアの前記内周面において延びる内側端面と、前記コアの前記外周面において延びる外側端面とを含み、
前記第２のカバーは、前記コアの前記内周面の一部位と、前記外周面の一部位と、前記他端側端面とを覆うとともに、前記コアの前記内周面において延びる内側端面と、前記コアの前記外周面において延びる外側端面とを含み、
前記第１のカバー及び前記第２のカバーの前記内側端面同士は離間しており、
前記第１のカバー及び前記第２のカバーの前記外側端面同士は離間している。
このような構成によれば、このようなインダクタンス素子を有するＬＣフィルタは、ノーマルモードに対する抵抗成分Ｒｓが増加する。そのため、Ｑ値を抑えることができる。
【０００７】
また、前記第１のカバー及び前記第２のカバーの前記内側端面同士は、全面に亘って、所定の間隔（例えば、間隔Ｓ１）を空けて離間しており、前記第１のカバー及び前記第２のカバーの前記外側端面同士は、全面に亘って、所定の間隔（例えば、間隔Ｓ２）を空けて離間していることを特徴としてもよい。また、前記第１のカバー及び前記第２のカバーの前記内側端面同士の間隔は、前記第１のカバー及び前記第２のカバーの前記外側端面同士の間隔と比較して大きいことを特徴としてもよい。また、前記第１の巻線と、前記第２の巻線との間には、所定の間隔があることを特徴としてもよい。ケースをさらに備え、前記ケースは、前記コア、前記第１のカバー及び前記第２のカバーの一部を露出する開口部を有することを特徴としてもよい。
また、ヒートシンクをさらに備え、前記ヒートシンクは、前記第１の巻線と前記第２の巻線との間に設けられたことを特徴としてもよい。巻線同士の間の部位は、他の部位よりも、多くの熱を発しているため、ヒートシンクは、この放熱した熱をすばやく放熱することができる。
【０００８】
また、本発明に係るＬＣフィルタは、
インダクタンス素子を備えるＬＣフィルタであって、
前記インダクタンス素子は、
環状のコアと、
前記コアを覆う第１のカバー及び第２のカバーと、
前記コア、前記第１のカバー及び前記第２のカバーの一領域に巻き回された第１の巻線及び第２の巻線と、を備え、
前記環状のコアにより周回される軸の延びる方向を軸方向とした場合、
前記コアは、内周面と、外周面と、前記軸方向の一端側端面と、前記軸方向の他端側端面と、を備え、
前記第１のカバーは、前記コアの前記内周面の一部位と、前記外周面の一部位と、前記一端側端面とを覆うとともに、前記コアの前記内周面において延びる内側端面と、前記コアの前記外周面において延びる外側端面とを含み、
前記第２のカバーは、前記コアの前記内周面の一部位と、前記外周面の一部位と、前記他端側端面とを覆うとともに、前記コアの前記内周面において延びる内側端面と、前記コアの前記外周面において延びる外側端面とを含み、
前記第１のカバー及び前記第２のカバーの前記内側端面同士は離間しており、
前記第１のカバー及び前記第２のカバーの前記外側端面同士は離間している。
このような構成によれば、ノーマルモードに対する抵抗成分Ｒｓが増加する。そのため、Ｑ値を抑えることができる。
【発明の効果】
【０００９】
本発明に係るインダクタンス素子は、Ｑ値を抑えることができる。
【図面の簡単な説明】
【００１０】
【図１】実施の形態１に係るインダクタンス素子の斜視図である。
【図２】実施の形態１に係るインダクタンス素子の断面図である。
【図３】実施の形態１に係るインダクタンス素子の要部の分解斜視図である。
【図４】実施の形態１に係るインダクタンス素子の要部の斜視図である。
【図５】実施の形態１に係るインダクタンス素子の要部の断面図である。
【図６】実施の形態１に係るインダクタンス素子の一変形例の斜視図である。
【図７】実施の形態１に係るインダクタンス素子の他の一変形例の斜視図である。
【図８】周波数に対するインピーダンス及びインダクタンスを示すグラフである。
【図９】周波数に対するインピーダンスを示すグラフである。
【図１０】カバーの厚さＴ１、Ｔ２に対する抵抗成分Ｒｓを示すグラフである。
【図１１】厚さに対する抵抗成分Ｒｓを示すグラフである。
【図１２】インダクタンス素子の巻線領域における損失分布を示す図である。
【図１３】インダクタンス素子の巻線間領域における損失分布を示す図である。
【発明を実施するための形態】
【００１１】
（実施の形態１）
以下、図１〜図２を参照して実施の形態１に係るインダクタンス素子について説明する。図１は、実施の形態１に係るインダクタンス素子の斜視図である。図２は、実施の形態１に係るインダクタンス素子の断面図である。
【００１２】
図１及び図２に示すように、インダクタンス素子１０は、コア１と、カバー２、３と、巻線４、５とを備える。
【００１３】
図３に示すように、コア１は、環状体であればよく、具体的には、略正円状、略楕円状、丸みを帯びた角部を有する長方形状、又は陸上競技のトラック状に延びる環状体であってもよい。陸上競技のトラック状は、並行してほぼ直線上に延びる２つの長辺部と、この長辺部同士を結んで半円状に曲がって延びる２つの短辺部とを備える。コア１は、内周面１ａと、外周面１ｂと、軸方向（ここでは、Ｚ軸方向）における端面１ｃ、１ｄとを備える。当該軸方向は、軸（ここでは、Ｚ軸）が延びる方向であり、当該軸は、コア１により周回される。コア１は、公知の多種多様なコア用材料を用いて構成することができ、例えば、フェライト材料を用いて構成することができる。
【００１４】
図３及び図４に示すように、カバー２、３は、例えば、金属材料、又、金属材料と樹脂とを複合した金属樹脂複合材料からなる。これらの金属材料は、非磁性であるとよい。また、これらの金属材料として、例えば、純Ａｌ、純Ｃｕ、純Ａｇ、純Ａｕ又はこれらの合金が挙げられる。
【００１５】
カバー２は、コア１の内周面１ａの一部と、外周面１ｂの一部と、端面１ｃの全てを覆う。カバー３は、コア１の内周面１ａの一部と、外周面１ｂの一部と、端面１ｄの全てを覆う。カバー２の内側端面２ｄは、コア１の内周面１ａ上において延び、カバー２の外側端面２ｅは、コア１の外周面１ｂ上において延びる。カバー３の内側端面３ｄは、コア１の内周面１ａ上に延び、カバー３の外側端面３ｅは、コア１の外周面１ｂ上に延びる。カバー２の内側端面２ｄとカバー３の内側端面３ｄとは、離間していればよく、例えば、全面に亘って所定の間隔Ｓ１があるとよい。カバー２の外側端面２ｅとカバー３の外側端面３ｅとは、離間していればよく、例えば、全面に亘って所定の間隔Ｓ２があるとよい。間隔Ｓ１、Ｓ２の位置はコア１の内周面１ａ、外周面１ｂの中央でなくても良く、オフセットしていてもよい。カバー２、３は、所定の厚さＴ２、Ｔ３をそれぞれ有するとよい。厚さＴ２、Ｔ３は、コア１の径と比較して小さく、インダクタンス素子１０がインダクタンス素子として必要な性質を損なわないような厚さを有するとよい。厚さＴ２、Ｔ３は、例えば、コア１の径の０．２％以上４％以下の範囲の値である。
【００１６】
巻線４、５は、電気を伝導する導線であればよく、例えば、銅線やエナメル被覆線である。巻線４は、コア１、カバー２、３の一領域に巻かれている。巻線５は、巻線４から所定の間隔を空けて、コア１、カバー２、３の別の一領域に巻かれている。言い換えると、巻線４と、巻線と５の間には、所定の間隔がある。
【００１７】
（変形例１）
次に、図６を用いて、インダクタンス素子１０の変形例について説明する。この変形例は、ケースを備えるところを除いて、インダクタンス素子１０と同じ構成を有する。
【００１８】
図６に示すように、インダクタンス素子２０は、ケース６を備える。ケース６は、電気を絶縁する材料からなる。このような材料として、例えば、樹脂が挙げられる。ケース６は、開口部６ａと、突起部６ｂと、壁６ｃとを備える。ケース６は、開口部６ａを除いて、コア１、カバー２、３の全てを覆っている。また、ケース６は、巻線４、５に巻かれている。開口部６ａは、巻線４と巻線５との間に設けられており、巻線４と巻線５との間におけるコア１と、カバー２と、カバー３とのそれぞれの一部をインダクタンス素子２０の外方へ露出させる。具体的には、開口部６ａは、コア１の外周面１ｂの一部位と、カバー２の外周面２ｂの一部位と、カバー３の外周面３ｂの一部位とをインダクタンス素子２０の外方へ露出させる。突起部６ｂは、カバー２の外周面２ｂ及びカバー３の外周面３ｂからコア１の径方向に複数突起しており、巻線４の一部位と巻線４の他の部位とを分ける。突起部６ｂは、巻線５の一部位と巻線５の他の部位とを分けてもよい。壁６ｃは、コア１の内周面１ａ側において、巻線４と巻線５との間に設けられ、巻線４と巻線５とを隔てる。
【００１９】
インダクタンス素子２０では、開口部６ａが、巻線４と巻線５との間における、コア１の外周面１ｂの一部位と、カバー２の外周面２ｂの一部位と、カバー３の外周面３ｂの一部位とをインダクタンス素子２０の外方へ露出させるため、これらの部位は、インダクタンス素子２０の他の部位よりも素早く放熱させることができる。
【００２０】
ところで、ケース６と異なりコア１及びカバー２、３の全てを覆うケースを備えるところを除いて、インダクタンス素子２０と同じ構成を有するインダクタンス素子（図示略）がある。このようなインダクタンス素子では、巻線４と巻線５との間における、コア１の外周面１ｂの一部位と、カバー２の外周面２ｂの一部位と、カバー３の外周面３ｂの一部位とは、インダクタンス素子２０の他の部位よりも発熱しやすい傾向にある。そのため、インダクタンス素子２０は、このようなインダクタンス素子と比較して、巻線４と巻線５との間における、コア１の外周面１ｂの一部位と、カバー２の外周面２ｂの一部位と、カバー３の外周面３ｂの一部位とを素早く放熱させることができる。
【００２１】
（変形例２）
次に、図７を用いて、別の変形例について説明する。この変形例は、ケースを備えるところを除いて、インダクタンス素子１０と同じ構成を有する。
【００２２】
図７に示すように、インダクタンス素子３０は、ケース７を備える。ケース７は、ケース６（図６参照）と、開口部７ａを除いて同じ構成を備える。ケース７は、開口部７ａと、突起部７ｂと、壁７ｃとを備える。開口部７ａは、巻線４と巻線５との間に設けられており、巻線４と巻線５との間におけるコア１と、カバー２と、カバー３とのそれぞれの一部をインダクタンス素子２０の外方へ露出させる。具体的には、開口部７ａは、コア１の外周面１ｂ、カバー２の外周面２ｂ、端面２ｃ、カバー３の外周面３ｂ、及び端面３ｃのそれぞれの一部位をインダクタンス素子３０の外方へ露出している。突起部７ｂ、及び壁７ｃは、突起部６ｂ、及び壁６ｃと同じ構成を有する。
【００２３】
ここで、インダクタンス素子２０（図６参照）は、コア１の外周面１ｂの一部位と、カバー２の外周面２ｂの一部位と、カバー３の外周面３ｂの一部位とをインダクタンス素子２０の外方へ露出させる。一方、インダクタンス素子３０は、インダクタンス素子２０において露出される部位に加えて、カバー２の端面２ｃ、カバー３の端面３ｃのそれぞれの一部位を外方へ露出している。よって、すなわち、インダクタンス素子３０は、インダクタンス素子２０と比較して外方へ露出している面積が大きいため、インダクタンス素子２０と比較して放熱性に優れる。
【００２４】
また、インダクタンス素子１０、２０、３０の少なくとも１つを用いて、ＬＣフィルタを形成してもよい。このようなＬＣフィルタの一例であるＬＣフィルタ１００（図示略）は、インダクタンス素子１０、２０、３０の少なくとも１つと、Ｘコンデンサとを接続することによって、形成することができる。
【００２５】
ところで、カバー２、３を含まないところを除いて、ＬＣフィルタ１００と同じ構成を有する、関連する技術のＬＣフィルタがある。ＬＣフィルタ１００は、関連する技術のＬＣフィルタと、大きく変わらないと考えられ、カバー２、３の有無は、コモンモード特性に大きな影響を与えることがないと考えられる。
【００２６】
ＬＣフィルタ１００は、金属を含むカバー２、３の少なくとも１つを用いてコア１を覆う構成を備えるため、ノーマルモードにおいて漏れ磁束がインダクタンス素子１０、２０、３０の少なくとも１つから生じる。この漏れ磁束と、カバー２、３とが、相互作用することによって、渦電流を生じさせる。カバー２の内側端面２ｄとカバー３の内側端面３ｄとが、離間していることから、渦電流が、カバー２、３の内側において相殺しないため、良好な値を有する。渦電流が、磁気抵抗を高めることによって、ノーマルモードに対する抵抗成分Ｒｓが増加する。よって、ＬＣフィルタ１００は、良好な抵抗成分Ｒｓを有し、Ｑ値を抑えることができる。すなわち、ＬＣフィルタ１００は、ＬＣフィルタ１００に含まれるインダクタンス素子１０、２０、３０に直列に抵抗器などを接続する必要なく、Ｑ値を抑えることができる。そのため、ＬＣフィルタ１００は、インダクタンス素子１０、２０、３０の大型化を抑制し、インダクタンス素子１０、２０、３０の体格を維持することができる。
【００２７】
なお、インダクタンス素子２０、又はインダクタンス素子３０は、開口部６ａの近傍におけるカバー２、又は開口部７ａの近傍におけるカバー３にそれぞれ接触させたヒートシンク（図示略）を備えてもよい。インダクタンス素子２０、３０が、このようなヒートシンクを具備する場合、インダクタンス素子２０、３０は、熱をカバー２、３からヒートシンクに速やかに伝えるため、さらに高い放熱性を有することができる。
【００２８】
また、上記したインダクタンス素子、及びＬＣフィルタを用いて、車両に搭載されるインバータ装置等の各種装置を構成してもよい。さらに、このようなインバータ装置等の各種装置を用いて、車載用の空調装置を構成してもよい。
【実施例】
【００２９】
次に、図８〜図１３を参照して、インダクタンス素子２０（図６参照）の実施例について諸特性を計測した結果、又は計算した結果について説明する。
【００３０】
（製造条件）
インダクタンス素子２０の実施例では、コアは、透磁率４５００Ｈ／ｍを有するフェライト材料を用いて製造した。コアは、陸上競技のトラック状に延びる環状体である。コアの外形サイズは、３０ｍｍ×２０ｍｍ×１０ｍｍとし、コアの断面形状は、５ｍｍ×１０ｍｍとした。巻線は、直径１．３ｍｍの銅線を用いた。巻線は、インダクタンス素子２０の実施例がコモンモードインダクタンス素子を構成するように、コアの長辺部の両側に１６ターン巻き回した。カバーを構成する材料は、原則、アルミニウム合金とし、適宜、銅合金とした。カバーの厚さＴ１、Ｔ２は、原則、０．１５ｍｍとし、適宜、水準を設定した。カバーの内側端面同士の間隔Ｓ１は、５ｍｍとした。カバーの外側端面同士の間隔Ｓ２は、原則、１ｍｍとし、適宜、水準を設定した。これら設定した水準は、後述する。
【００３１】
なお、比較例は、カバー２、３に相当するカバーを備えないところを除いて、インダクタンス素子１０の実施例と同じ構成を有する。
【００３２】
（計測方法）
まず、インダクタンス素子１０の実施例及びその比較例についてコモンモード特性を計測し、その計測結果を図８に示した。ここで、計測したコモンモード特性は、所定範囲の周波数に対するインピーダンスＺと、インダクタンスＬとである。
【００３３】
続いて、ノーマルモードにおける抵抗成分特性を計測し、その計測結果を図９に示した。ここで、計測したノーマルモードにおける抵抗成分Ｒｓは、所定範囲の周波数に対するインピーダンスＺを計測する。
【００３４】
続いて、インダクタンス素子２０の別の実施例を複数作製して、その別の実施例について、ノーマルモードにおける抵抗成分Ｒｓを計測し、その計測結果を図１０に示した。図１０に示す計測結果についての実施例では、カバーの外側端面同士の間隔Ｓ２が、４水準とし、カバーの厚さＴ１、Ｔ２が、３水準ｔ１、ｔ２、ｔ３とした。
【００３５】
続いて、インダクタンス素子２０のさらに別の実施例を複数作製して、この別の実施例についてノーマルモードにおける抵抗成分Ｒｓを計測し、その計測結果を図１１に示した。図１１に示す計測結果についての実施例では、カバーを構成する材料は、アルミニウム合金又は銅合金の２種類であり、カバーの厚さＴ１、Ｔ２は、１２水準とした。
【００３６】
最後に、計算機を用いて、カバーにおける損失分布の計算を行った。その結果を図１２、１３に示した。具体的には、カバー２、３の外周面２ｂ、３ｂに相当する面における巻線４、５との間の領域の損失分布を、図１２に示した。また、カバー２、３の外周面２ｂ、３ｂに相当する面における巻線４に巻き回された領域の損失分布を、図１３に示した。なお、図１２に示すカバーは、図４に示す矢印Ａ１と同じ方向から見たものである。図１３に示すカバーは、図４に示す矢印Ａ２と同じ方向から見たものである。
【００３７】
（計測結果及び計算結果）
図８に示すように、周波数に対するインピーダンスＺと、インダクタンスＬとは、実施例及び比較例ともあまり変わらなかった。そのため、カバーの有無は、ＬＣフィルタのコモンモード特性について大きな影響を与えないと考えられる。
【００３８】
図９に示すように、所定の周波数Ｆ１において、実施例が比較例と比較して格段に高いインピーダンスを有する。つまり、実施例が比較例と比較して高い抵抗成分Ｒｓを有する。この一因として、以下の理由が考えられる。実施例に係るＬＣフィルタは、金属を含む２つのカバーを用いてコアを覆う構成を備える。そのため、ノーマルモードにおいて漏れ磁束がインダクタンス素子から生じる。この漏れ磁束と、２つのカバーとが、相互作用することによって、渦電流を生じさせる。２つのカバーの内側端面同士と外側端面同士とが、離間していることから、渦電流が、２つのカバーの内側において相殺しないため、良好な値を有する。渦電流が、磁気抵抗を高めることによって、ノーマルモードに対する抵抗成分Ｒｓが増加する。これによって、ＬＣフィルタ１００は、良好な抵抗成分Ｒｓを有し、Ｑ値を抑えることができる。
【００３９】
図１０に示すように、カバーの外側端面同士の間隔Ｓ２が変化すると、抵抗成分Ｒｓが減じる傾向にある。また、カバーの厚さＴ１、Ｔ２が３水準ｔ１、ｔ２、ｔ３と大きくなると、抵抗成分Ｒｓが変化する。カバーの外側端面同士の間隔Ｓ２と、カバーの厚さＴ１、Ｔ２とを適宜変更することによって、抵抗成分Ｒｓを任意の値に調整することができる。
【００４０】
図１１に示すように、カバーを構成する材料は、アルミニウム合金又は銅合金のどちらでもあっても、カバーの厚さＴ１、Ｔ２が大きくなると、抵抗成分Ｒｓが一旦増大し、ピークを迎えた後、徐々に減じた。ピークの大きさはあまり変わらないが、ピークに到達した場合のカバーの厚さＴ１、Ｔ２は、差が生じた。これらの差異は、カバーを構成する材料の種類に起因すると考えられる。
【００４１】
図１２に示すように、巻線４、５との間におけるカバー２の外側端面２ｅと、カバー３の外側端面３ｅとの近傍における損失が、他の部位における損失と比較して、大きい。よって、巻線４、５との間におけるカバー２の外側端面２ｅと、カバー３の外側端面３ｅとの近傍は、集中して発熱していると考えられる。
【００４２】
図１３に示すように、巻線４に巻き回されており、カバー２の外側端面２ｅと、カバー３の外側端面３ｅとの近傍における損失は、他の部位における損失と比較して、小さい。よって、巻線４に巻き回された領域における、カバー２の外側端面２ｅと、カバー３の外側端面３ｅとの近傍は、集中して発熱していると考えられる。
【００４３】
なお、本発明は上記実施の形態に限られたものではなく、趣旨を逸脱しない範囲で適宜変更することが可能である。
【符号の説明】
【００４４】
１０、２０、３０  インダクタンス素子
１  コア
１ａ  内周面                              １ｂ  外周面
１ｃ、１ｄ  端面
２  カバー
２ｂ  外周面                              ２ｃ  端面
２ｄ  内側端面                            ２ｅ  外側端面
３  カバー
３ｂ  外周面                              ３ｃ  端面
３ｄ  内側端面                            ３ｅ  外側端面
４、５  巻線
【図１】
2019012760.tif 000003
【図２】
2019012760.tif 000004
【図３】
2019012760.tif 000005
【図４】
2019012760.tif 000006
【図５】
2019012760.tif 000007
【図６】
2019012760.tif 000008
【図７】
2019012760.tif 000009
【図８】
2019012760.tif 000010
【図９】
2019012760.tif 000011
【図１０】
2019012760.tif 000012
【図１１】
2019012760.tif 000013
【図１２】
2019012760.tif 000014
【図１３】
2019012760.tif 000015